(57)【要約】【課題】取り込まれたカードの磁気ストライプに磁気データを再度、記録する前に、磁気ストライプの損傷の有無および磁気ストライプへの異物付着の有無を判定することが可能なカードリーダを提供する。【解決手段】カードリーダ１は、ＪＩＳ規格またはＩＳＯ規格で規定される長方形状のカード２の磁気ストライプに記録された磁気データの読取りと磁気ストライプへの磁気データの記録とを行うための磁気ヘッド７と、カード２の、磁気ストライプが形成されている側の面の画像を取得するためのスキャナ８と、スキャナ８の出力信号が入力される制御部９とを備えている。制御部９は、スキャナ８で取得された画像から、ＪＩＳ規格またはＩＳＯ規格で規定されるカード２の短手方向の磁気データの記録位置に対応する部分の画像を切り出すとともに、切り出した画像に基づいて、磁気ストライプの損傷の有無および磁気ストライプへの異物付着の有無を判定する。【選択図】図１
2019100730.tif 000002
【特許請求の範囲】
【請求項１】
ＪＩＳ規格またはＩＳＯ規格で規定される長方形状のカードの磁気ストライプに記録された磁気データの読取りと前記磁気ストライプへの磁気データの記録とを行うための磁気ヘッドと、前記カードの、前記磁気ストライプが形成されている側の面の画像を取得するためのスキャナと、前記スキャナの出力信号が入力される制御部とを備え、
前記制御部は、前記スキャナで取得された画像から、ＪＩＳ規格またはＩＳＯ規格で規定される前記カードの短手方向の磁気データの記録位置に対応する部分の画像を切り出すとともに、切り出した画像に基づいて、前記磁気ストライプの損傷の有無および前記磁気ストライプへの異物付着の有無を判定することを特徴とするカードリーダ。
【請求項２】
長方形状のカードの磁気ストライプに記録された磁気データの読取りと前記磁気ストライプへの磁気データの記録とを行うための磁気ヘッドと、前記カードの、前記磁気ストライプが形成されている側の面の画像を取得するためのスキャナと、前記スキャナの出力信号が入力される制御部とを備え、
前記磁気ストライプは、前記カードの長手方向に沿う帯状に形成され、
前記磁気ヘッドは、磁気データを読み取るためのリードコアと、磁気データを記録するためのライトコアとを備え、
前記リードコアの幅は、前記ライトコアの幅よりも狭くなっており、
前記制御部は、前記スキャナで取得された画像から、前記カードの短手方向において前記リードコアの配置位置に対応する部分の画像を切り出すとともに、切り出した画像に基づいて、前記磁気ストライプの損傷の有無および前記磁気ストライプへの異物付着の有無を判定することを特徴とするカードリーダ。
【請求項３】
前記磁気ストライプは、目視で確認できるようになっており、
前記制御部は、前記切り出した画像の、前記カードの短手方向の濃度ヒストグラムを作成し、前記濃度ヒストグラムに基づいて前記磁気ストライプの損傷の有無および前記磁気ストライプへの異物付着の有無を判定することを特徴とする請求項１または２記載のカードリーダ。
【請求項４】
前記カードは、前記磁気ストライプを目視で確認することができない隠蔽カードであり、
前記制御部には、前記カードの、前記制御部が切り出す画像に対応する部分の画像が予め記憶されており、
前記制御部は、前記制御部に記憶されている画像と、前記切り出した画像とを比較して、前記磁気ストライプの損傷の有無および前記磁気ストライプへの異物付着の有無を判定することを特徴とする請求項１または２記載のカードリーダ。
【請求項５】
ＪＩＳ規格またはＩＳＯ規格で規定される長方形状のカードの磁気ストライプに記録された磁気データの読取りと前記磁気ストライプへの磁気データの記録とを行うための磁気ヘッドと、前記カードの、前記磁気ストライプが形成されている側の面の画像を取得するためのスキャナとを備えるカードリーダの制御方法であって、
前記スキャナで前記カードの画像を取得する画像取得ステップと、前記画像取得ステップで取得された画像から、ＪＩＳ規格またはＩＳＯ規格で規定される前記カードの短手方向の磁気データの記録位置に対応する部分の画像を切り出すとともに、切り出した画像に基づいて、前記磁気ストライプの損傷の有無および前記磁気ストライプへの異物付着の有無を判定する画像異常判定ステップとを備えることを特徴とするカードリーダの制御方法。
【請求項６】
前記磁気ストライプに記録された磁気データを前記磁気ヘッドで読み取る磁気データ読取りステップと、前記磁気データ読取りステップで読み取られた磁気データを用いて前記磁気ストライプへの磁気データの記録の要否を判定するデータ記録要否判定ステップと、前記磁気ヘッドで前記磁気ストライプに磁気データを記録する磁気データ記録ステップとを備え、
前記データ記録要否判定ステップで前記磁気ストライプへの磁気データの記録が必要であると判定されると、前記画像異常判定ステップに進み、前記画像異常判定ステップで前記磁気ストライプの損傷がなくかつ前記磁気ストライプへの異物付着がないと判定されると、前記磁気データ記録ステップに進むことを特徴とする請求項５記載のカードリーダの制御方法。
【請求項７】
前記磁気ストライプに記録された磁気データを前記磁気ヘッドで読み取る磁気データ読取りステップと、前記磁気データ読取りステップで読み取られた磁気データの中に異常な部分があるのか否かを判定する磁気データ異常判定ステップとを備え、
前記磁気データ異常判定ステップは、前記画像異常判定ステップの前に実行され、
前記磁気データ異常判定ステップで磁気データの中に異常な部分があると判定されると、前記画像異常判定ステップにおいて、ＪＩＳ規格またはＩＳＯ規格で規定される前記カードの短手方向の磁気データの記録位置に対応する部分の画像であって、かつ、前記カードの長手方向において磁気データの、異常があると判定された部分の画像を切り出すとともに、切り出した画像に基づいて、前記磁気ストライプの損傷の有無および前記磁気ストライプへの異物付着の有無を判定することを特徴とする請求項５または６記載のカードリーダの制御方法。
【請求項８】
長方形状のカードの磁気ストライプに記録された磁気データの読取りと前記磁気ストライプへの磁気データの記録とを行うための磁気ヘッドと、前記カードの、前記磁気ストライプが形成されている側の面の画像を取得するためのスキャナとを備え、前記磁気ストライプは、前記カードの長手方向に沿う帯状に形成され、前記磁気ヘッドは、磁気データを読み取るためのリードコアと、磁気データを記録するためのライトコアとを備え、前記リードコアの幅は、前記ライトコアの幅よりも狭くなっているカードリーダの制御方法であって、
前記スキャナで前記カードの画像を取得する画像取得ステップと、前記画像取得ステップで取得された画像から、前記カードの短手方向において前記リードコアの配置位置に対応する部分の画像を切り出すとともに、切り出した画像に基づいて、前記磁気ストライプの損傷の有無および前記磁気ストライプへの異物付着の有無を判定する画像異常判定ステップとを備えることを特徴とするカードリーダの制御方法。
【発明の詳細な説明】
【技術分野】
【０００１】
本発明は、カードに記録された磁気データの読取りやカードへの磁気データの記録を行うためのカードリーダに関する。また、本発明は、かかるカードリーダの制御方法に関する。
【背景技術】
【０００２】
従来、カードに記録された磁気データの読取りを行うためのカードリーダが知られている（たとえば、特許文献１参照）。特許文献１に記載のカードリーダは、カードの磁気ストライプに記録された磁気データを読み取る磁気ヘッドと、カードの情報表示部に文字を印刷するリライトヘッドと、磁気ヘッドの出力信号が入力される磁気劣化検出部とを備えている。磁気劣化検出部では、磁気ヘッドの出力信号に基づいて、カードに記録された磁気データの磁力の強さを検出することが可能になっている。
【０００３】
カードが長期間使用されて、カードの磁気ストライプに記録された磁気データの磁力が低下すると、磁気ストライプに記録された磁気データを磁気ヘッドで適切に読み取ることができなくなるおそれがある。そこで、特許文献１に記載のカードリーダでは、磁気劣化検出部で検出される磁気ヘッドの出力信号の振幅が所定の閾値よりも小さくなっている場合に、出力信号の振幅に応じて、磁気データの磁力が低下していて取引ができなくなる可能性があることを知らせる文字、または、磁気データの磁力が低下していて取引ができないことを知らせる文字をリライトヘッドによってカードの情報表示部に印刷して、カードの所有者に注意を喚起している。
【先行技術文献】
【特許文献】
【０００４】
【特許文献１】特開２００６−３３８４０４号公報
【発明の概要】
【発明が解決しようとする課題】
【０００５】
近年、市場では、カードリーダに取り込まれたカードの磁気データの磁力が低下している場合に、カードリーダでカードの磁気ストライプに磁気データを再度、記録したいとのニーズがある。この場合、たとえば、磁気ヘッドの出力信号の振幅に基づいて磁気データの記録の要否を判定して、磁気ストライプに磁気データを記録することが可能である。しかしながら、たとえば、磁気ストライプに傷や削れが生じている場合には、磁気ヘッドの出力信号の振幅に基づいて磁気データの記録が必要と判定されて、磁気ストライプに磁気データを記録しようとしても、磁気ストライプに磁気データを適切に記録することができないといった事態が生じうる。
【０００６】
また、たとえば、カードの、磁気ストライプが形成されている箇所にシール等が貼り付けられて磁気ストライプに異物が付着している場合には、磁気ストライプに記録された磁気データの磁力が低下していないが、磁気ヘッドの出力信号の振幅が小さくなることがある。この場合にも、磁気ヘッドの出力信号の振幅に基づいて磁気データの記録が必要と判定されて、磁気ストライプに磁気データを記録しようとしても、磁気ストライプに付着した異物の影響で、磁気ストライプに磁気データを適切に記録することができないといった事態が生じうる。
【０００７】
磁気ストライプに磁気データを再度、記録しようとしたにもかかわらず、磁気ストライプに磁気データを適切に記録することができないと、異常なカードであるとして、カードリーダからカードが返却されなくなるおそれがある。また、磁気ストライプに磁気データを再度、記録しようとしたにもかかわらず、磁気ストライプに磁気データを適切に記録することができないと、磁気データの連続性が損なわれて、その後、カードが使用できなくなるおそれがある。したがって、磁気ストライプに磁気データを再度、記録する前に、磁気ストライプの損傷の有無や、磁気ストライプへの異物付着の有無を判別できることが好ましい。
【０００８】
そこで、本発明の課題は、取り込まれたカードの磁気ストライプに磁気データを再度、記録する前に、磁気ストライプの損傷の有無および磁気ストライプへの異物付着の有無を判定することが可能なカードリーダを提供することにある。また、本発明の課題は、カードリーダに取り込まれたカードの磁気ストライプに磁気データを再度、記録する前に、磁気ストライプの損傷の有無および磁気ストライプへの異物付着の有無を判定することが可能となるカードリーダの制御方法を提供することにある。
【課題を解決するための手段】
【０００９】
上記の課題を解決するため、本発明のカードリーダは、ＪＩＳ規格またはＩＳＯ規格で規定される長方形状のカードの磁気ストライプに記録された磁気データの読取りと磁気ストライプへの磁気データの記録とを行うための磁気ヘッドと、カードの、磁気ストライプが形成されている側の面の画像を取得するためのスキャナと、スキャナの出力信号が入力される制御部とを備え、制御部は、スキャナで取得された画像から、ＪＩＳ規格またはＩＳＯ規格で規定されるカードの短手方向の磁気データの記録位置に対応する部分の画像を切り出すとともに、切り出した画像に基づいて、磁気ストライプの損傷の有無および磁気ストライプへの異物付着の有無を判定することを特徴とする。
【００１０】
また、上記の課題を解決するため、本発明のカードリーダの制御方法は、ＪＩＳ規格またはＩＳＯ規格で規定される長方形状のカードの磁気ストライプに記録された磁気データの読取りと磁気ストライプへの磁気データの記録とを行うための磁気ヘッドと、カードの、磁気ストライプが形成されている側の面の画像を取得するためのスキャナとを備えるカードリーダの制御方法であって、スキャナでカードの画像を取得する画像取得ステップと、画像取得ステップで取得された画像から、ＪＩＳ規格またはＩＳＯ規格で規定されるカードの短手方向の磁気データの記録位置に対応する部分の画像を切り出すとともに、切り出した画像に基づいて、磁気ストライプの損傷の有無および磁気ストライプへの異物付着の有無を判定する画像異常判定ステップとを備えることを特徴とする。
【００１１】
本発明では、スキャナで取得された画像から、ＪＩＳ規格またはＩＳＯ規格で規定されるカードの短手方向の磁気データの記録位置に対応する部分の画像を切り出すとともに、切り出した画像に基づいて、磁気ストライプの損傷の有無および磁気ストライプへの異物付着の有無を判定している。そのため、本発明では、カードリーダに取り込まれたカードの磁気ストライプに磁気データを再度、記録する前に、磁気ストライプの損傷の有無および磁気ストライプへの異物付着の有無を判定することが可能になる。
【００１２】
また、本発明では、スキャナで取得された画像から、ＪＩＳ規格またはＩＳＯ規格で規定されるカードの短手方向の磁気データの記録位置に対応する部分の画像を切り出すとともに、切り出した画像に基づいて、磁気ストライプの損傷の有無および磁気ストライプへの異物付着の有無を判定している。すなわち、本発明では、磁気ストライプの、実際に磁気データが記録される箇所の画像に基づいて、磁気ストライプの、実際に磁気データが記録される箇所の損傷の有無、および、実際に磁気データが記録される箇所への異物付着の有無を判定している。そのため、本発明では、仮に、磁気ストライプの、磁気データが記録されない箇所に損傷があったり、異物が付着したりしていても、実際に磁気データが記録される箇所に損傷がなく、かつ、実際に磁気データが記録される箇所に異物が付着していないと判定することができる。したがって、本発明では、仮に、磁気ストライプの、磁気データが記録されない箇所に損傷があったり、異物が付着したりしていても、カードリーダに取り込まれたカードの磁気ストライプに磁気データを再度、記録することが可能になる。
【００１３】
本発明において、たとえば、磁気ストライプは、目視で確認できるようになっており、制御部は、切り出した画像の、カードの短手方向の濃度ヒストグラムを作成し、濃度ヒストグラムに基づいて磁気ストライプの損傷の有無および磁気ストライプへの異物付着の有無を判定する。また、本発明において、たとえば、カードは、磁気ストライプを目視で確認することができない隠蔽カードであり、制御部には、カードの、制御部が切り出す画像に対応する部分の画像が予め記憶されており、制御部は、制御部に記憶されている画像と、切り出した画像とを比較して、磁気ストライプの損傷の有無および磁気ストライプへの異物付着の有無を判定する。
【００１４】
本発明において、カードリーダの制御方法は、たとえば、磁気ストライプに記録された磁気データを磁気ヘッドで読み取る磁気データ読取りステップと、磁気データ読取りステップで読み取られた磁気データを用いて磁気ストライプへの磁気データの記録の要否を判定するデータ記録要否判定ステップと、磁気ヘッドで磁気ストライプに磁気データを記録する磁気データ記録ステップとを備え、データ記録要否判定ステップで磁気ストライプへの磁気データの記録が必要であると判定されると、画像異常判定ステップに進み、画像異常判定ステップで磁気ストライプの損傷がなくかつ磁気ストライプへの異物付着がないと判定されると、磁気データ記録ステップに進む。
【００１５】
本発明において、カードリーダの制御方法は、磁気ストライプに記録された磁気データを磁気ヘッドで読み取る磁気データ読取りステップと、磁気データ読取りステップで読み取られた磁気データの中に異常な部分があるのか否かを判定する磁気データ異常判定ステップとを備え、磁気データ異常判定ステップは、画像異常判定ステップの前に実行され、磁気データ異常判定ステップで磁気データの中に異常な部分があると判定されると、画像異常判定ステップにおいて、ＪＩＳ規格またはＩＳＯ規格で規定されるカードの短手方向の磁気データの記録位置に対応する部分の画像であって、かつ、カードの長手方向において磁気データの、異常があると判定された部分の画像を切り出すとともに、切り出した画像に基づいて、磁気ストライプの損傷の有無および磁気ストライプへの異物付着の有無を判定することが好ましい。
【００１６】
このように構成すると、磁気データの読取り結果に基づいて、磁気ストライプの損傷または磁気ストライプへの異物の付着が発生している可能性が高いと想定される部分の画像のみを切り出して、磁気ストライプの損傷の有無および磁気ストライプへの異物付着の有無を判定することが可能になる。したがって、磁気ストライプの損傷の有無および磁気ストライプへの異物付着の有無の誤判定をなくして、磁気ストライプの損傷の有無および磁気ストライプへの異物付着の有無を精度良く判定することが可能となる。また、このように構成すると、磁気ストライプの損傷または磁気ストライプへの異物の付着が発生している可能性が高いと想定される部分の画像のみを切り出して、磁気ストライプの損傷の有無および磁気ストライプへの異物付着の有無を判定するため、磁気ストライプの損傷の有無および磁気ストライプへの異物付着の有無の判定処理の速度を速めることが可能になる。
【００１７】
さらに、上記の課題を解決するため、本発明のカードリーダは、長方形状のカードの磁気ストライプに記録された磁気データの読取りと磁気ストライプへの磁気データの記録とを行うための磁気ヘッドと、カードの、磁気ストライプが形成されている側の面の画像を取得するためのスキャナと、スキャナの出力信号が入力される制御部とを備え、磁気ストライプは、カードの長手方向に沿う帯状に形成され、磁気ヘッドは、磁気データを読み取るためのリードコアと、磁気データを記録するためのライトコアとを備え、リードコアの幅は、ライトコアの幅よりも狭くなっており、制御部は、スキャナで取得された画像から、カードの短手方向においてリードコアの配置位置に対応する部分の画像を切り出すとともに、切り出した画像に基づいて、磁気ストライプの損傷の有無および磁気ストライプへの異物付着の有無を判定することを特徴とする。
【００１８】
また、上記の課題を解決するため、本発明のカードリーダの制御方法は、長方形状のカードの磁気ストライプに記録された磁気データの読取りと磁気ストライプへの磁気データの記録とを行うための磁気ヘッドと、カードの、磁気ストライプが形成されている側の面の画像を取得するためのスキャナとを備え、磁気ストライプは、カードの長手方向に沿う帯状に形成され、磁気ヘッドは、磁気データを読み取るためのリードコアと、磁気データを記録するためのライトコアとを備え、リードコアの幅は、ライトコアの幅よりも狭くなっているカードリーダの制御方法であって、スキャナでカードの画像を取得する画像取得ステップと、画像取得ステップで取得された画像から、カードの短手方向においてリードコアの配置位置に対応する部分の画像を切り出すとともに、切り出した画像に基づいて、磁気ストライプの損傷の有無および磁気ストライプへの異物付着の有無を判定する異常判定ステップとを備えることを特徴とする。
【００１９】
本発明では、スキャナで取得された画像から、カードの短手方向においてリードコアの配置位置に対応する部分の画像を切り出すとともに、切り出した画像に基づいて、磁気ストライプの損傷の有無および磁気ストライプへの異物付着の有無を判定している。そのため、本発明では、カードリーダに取り込まれたカードの磁気ストライプに磁気データを再度、記録する前に、磁気ストライプの損傷の有無および磁気ストライプへの異物付着の有無を判定することが可能になる。
【００２０】
また、本発明では、スキャナで取得された画像から、カードの短手方向においてリードコアの配置位置に対応する部分の画像を切り出すとともに、切り出した画像に基づいて、磁気ストライプの損傷の有無および磁気ストライプへの異物付着の有無を判定している。すなわち、本発明では、磁気ストライプの、実際に磁気データが読み取られる箇所の画像に基づいて、磁気ストライプの、実際に磁気データが読み取られる箇所の損傷の有無、および、実際に磁気データが読み取られる箇所への異物付着の有無を判定している。そのため、本発明では、仮に、磁気ストライプの、磁気データが読み取られない箇所に損傷があったり、異物が付着したりしていても、実際に磁気データが読み取られる箇所に損傷がなく、かつ、実際に磁気データが読み取られる箇所に異物が付着していないと判定することができる。したがって、本発明では、仮に、磁気ストライプの、磁気データが読み取られない箇所に損傷があったり、異物が付着したりしていても、カードリーダに取り込まれたカードの磁気ストライプの、実際に磁気データが読み取られる箇所に磁気データを再度、記録することが可能になる。
【発明の効果】
【００２１】
以上のように、本発明では、カードリーダに取り込まれたカードの磁気ストライプに磁気データを再度、記録する前に、磁気ストライプの損傷の有無および磁気ストライプへの異物付着の有無を判定することが可能になる。
【図面の簡単な説明】
【００２２】
【図１】本発明の実施の形態にかかるカードリーダの概略構成を説明するための図である。
【図２】図１に示すカードの平面図である。
【図３】図１に示す磁気ヘッドの構成を説明するための図である。
【図４】図１に示す磁気ヘッドの出力信号を説明するための図である。
【図５】図４に示す磁気ヘッドの出力信号に基づいて生成される復調用信号を説明するための図である。
【図６】図１に示すカードリーダの制御方法の一例を説明するためのフローチャートである。
【図７】図１に示すスキャナで取得された画像の処理方法を説明するための図である。
【図８】本発明の他の実施の形態にかかるカードリーダの制御方法を説明するためのフローチャートである。
【発明を実施するための形態】
【００２３】
以下、図面を参照しながら、本発明の実施の形態を説明する。
【００２４】
（カードリーダの構成）
図１は、本発明の実施の形態にかかるカードリーダ１の概略構成を説明するための図である。図２は、図１に示すカード２の平面図である。図３は、図１に示す磁気ヘッド７の構成を説明するための図である。図４は、図１に示す磁気ヘッド７の出力信号を説明するための図である。図５は、図４に示す磁気ヘッド７の出力信号に基づいて生成される復調用信号を説明するための図である。
【００２５】
本形態のカードリーダ１は、カード２に記録された磁気データの読取りを行うための装置であり、たとえば、ＡＴＭ等の所定の上位装置に搭載されて使用される。カードリーダ１の内部には、カード挿入口３から挿入されたカード２が搬送されるカード搬送路４が形成されている。カードリーダ１は、カード搬送路４でカード２を搬送する複数の駆動ローラ５およびパッドローラ６を備えている。
【００２６】
カード２は、ＪＩＳ規格またはＩＳＯ規格で規定されるカードである。具体的には、カード２は、ＪＩＳＸ６３０１またはＩＳＯ／ＩＥＣ７８１０で規定される長方形状のカードであり、厚さが０．７〜０．８ｍｍ程度の塩化ビニール製のカードである。カード２は、長方形状に形成されるカード２の長手方向とカード搬送路４でのカード２の搬送方向とが一致するように、カード挿入口３から挿入されてカード搬送路４で搬送される。
【００２７】
また、カード２は、ＪＩＳＸ６３０２−２で規定される磁気カードであり、カード２の一方の面（おもて面）２ａには、磁気データが記録される磁気ストライプ２ｂが形成されている。磁気ストライプ２ｂは、長方形状に形成されるカード２の長手方向に沿う帯状に形成されている。カード２のおもて面２ａには、所定の模様が印刷されている。本形態のカードリーダ１では、磁気ストライプ２ｂが見えるように模様が印刷されたカード２と、磁気ストライプ２ｂが見えないように模様が印刷されたカード２とが使用される。すなわち、カードリーダ１では、磁気ストライプ２ｂを目視で確認できる通常の磁気カードと、磁気ストライプ２ｂを目視で確認できない隠蔽カードとが使用される。なお、カード２には、ＩＣチップが内蔵されていても良い。
【００２８】
ＪＩＳＸ６３０２−２では、カード２の短手方向における磁気データの記録位置が規定されている。具体的には、カード２の短手方向の一端面２ｃを基準にして、カード２の短手方向における磁気データの記録位置が規定されている。より具体的には、ＪＩＳＸ６３０２−２では、図２に示すように、磁気データの記録位置の一端面２ｃ側の端部と一端面２ｃとの最大距離Ｌ１と、磁気データの記録位置の反対側の端部と一端面２ｃとの最小距離Ｌ２とが規定されている。また、ＪＩＳＸ６３０２−２では、カード２の短手方向における磁気データの最小記録幅Ｈ１が規定されている。
【００２９】
なお、ＪＩＳＸ６３０２−２では、カード２の長手方向における磁気データの記録位置も規定されている。具体的には、ＪＩＳＸ６３０２−２では、図２に示すように、カード２の長手方向における磁気データの記録位置の一端と、カード２の長手方向の一端面２ｄとの最小距離Ｌ３と、カード２の長手方向における磁気データの記録位置の他端と、カード２の長手方向の他端面２ｅとの最小距離Ｌ４とが規定されている。
【００３０】
カード２の磁気ストライプ２ｂには、カード２の短手方向において、ＪＩＳ規格で規定されるカード２の短手方向の磁気データの記録位置に磁気データが記録されている。すなわち、カード２の短手方向において、最大距離Ｌ１と最小距離Ｌ２と最小記録幅Ｈ１とによって規定される領域を磁気データの最小記録領域Ｒ１とすると、磁気ストライプ２ｂには、カード２の短手方向において、少なくとも磁気データの最小記録範囲Ｒ１に磁気データが記録されている。
【００３１】
駆動ローラ５は、カード搬送路４の一方側からカード搬送路４に臨むように配置され、パッドローラ６は、カード搬送路４の他方側からカード搬送路４に臨むように配置されている。駆動ローラ５には、ベルトやプーリ等の動力伝達機構を介してモータが連結されている。パッドローラ６は、駆動ローラ５に対向配置されている。また、パッドローラ６は、駆動ローラ５に向かって付勢されている。カード２は、駆動ローラ５とパッドローラ６との間に挟まれた状態で搬送される。
【００３２】
また、カードリーダ１は、カード２の磁気ストライプ２ｂに記録された磁気データの読取りと磁気ストライプ２ｂへの磁気データの記録とを行うための磁気ヘッド７と、カード２の、磁気ストライプ２ｂが形成されている側の面（すなわち、おもて面２ａ）の画像を取得するためのスキャナ８と、カードリーダ１を制御する制御部９とを備えている。
【００３３】
磁気ヘッド７の先端部には、磁気ギャップＧが形成されている（図３参照）。磁気ヘッド７は、磁気ギャップＧがカード搬送路４の一方側からカード搬送路４に臨むように配置されている。図３に示すように、磁気ヘッド７は、磁気ストライプ２ｂに記録された磁気データを読み取るためのリードコア１３と、磁気ストライプ２ｂに磁気データを記録するためのライトコア１４とを備えている。本形態の磁気ヘッド７は、リードコア１３とライトコア１４とが一体化されたリードライト一体型の磁気ヘッドである。磁気ギャップＧは、磁気ヘッド７の先端部において、リードコア１３とライトコア１４との間に形成されている。
【００３４】
カード搬送路４で搬送されるカード２の搬送方向とカード搬送路４で搬送されるカード２の厚さ方向とに直交する方向（すなわち、カード２の短手方向。以下、この方向を「左右方向」とする。）において、リードコア１３の中心とライトコア１４の中心とは一致している。また、リードコア１３の左右方向の幅は、ライトコア１４の左右方向の幅よりも狭くなっている。すなわち、本形態の磁気ヘッド７は、いわゆるワイドライト・ナロウリード型の磁気ヘッドである。
【００３５】
リードコア１３の左右方向の幅は、磁気データの最小記録幅Ｈ１よりも狭くなっており、左右方向における磁気ヘッド７の磁気データの読取り幅（すなわち、リードコア１３の磁気データの読取り幅）Ｈ２は、磁気データの最小記録幅Ｈ１よりも狭くなっている（図３参照）。また、リードコア１３は、左右方向において、最大距離Ｌ１と最小距離Ｌ２とによって規定される範囲の中に配置されている。一方、ライトコア１４の左右方向の幅は、磁気データの最小記録幅Ｈ１よりも広くなっている。
【００３６】
リードコア１３には、磁気データを読み取るためのコイルが巻回され、ライトコア１４には、磁気データを記録するためのコイルが巻回されている。磁気ヘッド７は、制御部９に電気的に接続されている。具体的には、リードコア１３に巻回されるコイルと、ライトコア１４に巻回されるコイルとが制御部９に電気的に接続されている。制御部９には、磁気ヘッド７の出力信号が入力される。
【００３７】
スキャナ８は、磁気ヘッド７と同じ側からカード搬送路４に臨むように配置されており、カード２のおもて面２ａの画像を取得する。スキャナ８の左右方向の幅は、カード２の左右方向の幅（短手方向の幅）以上となっており、スキャナ８によって、カード２のおもて面２ａの全体の画像を取得することが可能になっている。スキャナ８は、制御部９に電気的に接続されている。制御部９には、スキャナ８の出力信号が入力される。
【００３８】
上述のように、制御部９には、磁気ヘッド７の出力信号が入力される。具体的には、磁気ヘッド７から出力される正弦波状の出力信号が制御部９に入力される。制御部９は、磁気ヘッド７の出力信号を増幅する増幅回路を備えており、たとえば、図４（Ａ）に示すように、磁気ヘッド７の出力信号を増幅する。また、制御部９は、増幅された磁気ヘッド７の出力信号に基づいて、矩形波状の復調用信号を生成する。具体的には、制御部９は、増幅された磁気ヘッド７の出力信号とこの出力信号に対して設定される閾値とに基づいて矩形波状の復調用信号を生成する。たとえば、制御部９は、図５（Ａ）に示すような復調用信号を生成する。なお、磁気ヘッド７に増幅回路が内蔵されるとともに、増幅後の磁気ヘッド７の出力信号が制御部９に入力されても良い。
【００３９】
また、制御部９は、後述のように、スキャナ８で取得された画像から、ＪＩＳ規格で規定される左右方向の磁気データの記録位置に対応する部分の画像（すなわち、磁気データの最小記録範囲Ｒ１の画像）を切り出すとともに、切り出した画像に基づいて、磁気ストライプ２ｂの損傷（たとえば、傷や削れ等）の有無および磁気ストライプ２ｂへの異物付着の有無を判定する。また、制御部９には、カードリーダ１で使用される隠蔽カードの最小記録範囲Ｒ１の画像が記憶されている。すなわち、制御部９には、隠蔽カードの、制御部９が切り出す画像に対応する部分の画像が予め記憶されている。なお、カードリーダ１で複数種類の隠蔽カードが使用される場合には、複数種類の隠蔽カードのそれぞれの最小記録範囲Ｒ１の画像が制御部９に記憶されている。
【００４０】
（カードリーダの制御方法）
図６は、図１に示すカードリーダ１の制御方法の一例を説明するためのフローチャートである。図７は、図１に示すスキャナ８で取得された画像の処理方法を説明するための図である。
【００４１】
カードリーダ１では、カード挿入口３にカード２が挿入されると、制御部９は、駆動ローラ５を起動してカードリーダ１の内部にカード２を取り込む（ステップＳ１）。また、制御部９は、駆動ローラ５を回転させてカード２を搬送しながら、カード２の磁気ストライプ２ｂに記録された磁気データを磁気ヘッド７で読み取る（磁気データ読取りステップ、ステップＳ２）。また、制御部９は、駆動ローラ５を回転させてカード２を搬送しながら、カード２のおもて面２ａの画像をスキャナ８で取得する（画像取得ステップ、ステップＳ３）。ステップＳ３において、制御部９は、カード２のおもて面２ａの全体の画像を取得する。
【００４２】
その後、制御部９は、ステップＳ２で読み取った磁気データの読取り結果が正常であるのか否かを判定する（ステップＳ４）。すなわち、ステップＳ４において、制御部９は、ステップＳ２で読み取った磁気データの出力信号に基づいて復調用信号を生成するとともに、生成された復調用信号に基づいて磁気データが正しく復調されたのか否かを判定する。ステップＳ４において、磁気データの読取り結果に異常があると判定されると、制御部９は、磁気データの読取り結果の判定を所定の回数であるＮ回（Ｎは、２以上の整数）行ったのか否かを判断する（ステップＳ５）。
【００４３】
ステップＳ５において、磁気データの読取り結果の判定をＮ回行っていないと判断されると、制御部９は、増幅後の磁気ヘッド７の出力信号に対して設定される閾値を変更して（ステップＳ６）、ステップＳ４に戻る。一方、ステップＳ５において、磁気データの読取り結果の判定をＮ回行っている場合には、カード２に記録された磁気データの読取りができないと判断されるため、制御部９は、駆動ローラ５を回転させてカード２を搬送し、カードリーダ１からカード２を排出する（ステップＳ７）。ステップＳ５からステップＳ７へ進む場合には、カードリーダ１が搭載される上位装置は所定の処理を実行しない。たとえば、上位装置がＡＴＭである場合には、現金の引出し処理等を実行しない。
【００４４】
また、ステップＳ４において、磁気データの読取り結果が正常であると判定されると、上位装置は所定の処理を実行する。たとえば、上位装置がＡＴＭである場合には、現金の引出し処理等を実行する。また、ステップＳ４において、磁気データの読取り結果が正常であると判定されると、制御部９は、ステップＳ２で読み取られた磁気データを用いて、カードリーダ１に取り込まれているカード２の磁気ストライプ２ｂへの磁気データの記録の要否を判定する（データ記録要否判定ステップ、ステップＳ８）。
【００４５】
ステップＳ８では、制御部９は、たとえば、磁気データの読取り結果の判定を実行した回数が規定の回数以上であると、磁気ストライプ２ｂへの磁気データの記録が必要であると判定する。または、ステップＳ８では、制御部９は、ステップＳ２で読み取った磁気ヘッド７の出力信号（具体的には、増幅後の磁気ヘッド７の出力信号）の中に、たとえば、図４（Ｂ）に示すように振幅が小さくなっている箇所があると（具体的には、振幅が所定の閾値よりも低くなっている箇所があると）、磁気ストライプ２ｂへの磁気データの記録が必要であると判定する。あるいは、ステップＳ８では、制御部９は、ステップＳ４で磁気データの読取り結果に異常があると判定されたときの復調用信号のビットインターバルの中に、図５（Ｂ）の矢印や図５（Ｃ）の矢印で示すような異常な箇所があると、磁気ストライプ２ｂへの磁気データの記録が必要であると判定する。
【００４６】
ステップＳ８において、磁気ストライプ２ｂへの磁気データの記録が不要であると判定されると、ステップＳ７に進んで、制御部９は、カードリーダ１からカード２を排出する。一方、ステップＳ８において、磁気ストライプ２ｂへの磁気データの記録が必要であると判定されると、制御部９は、ステップＳ３で取得された画像に基づいてカード２が隠蔽カードであるのか否かを判定する（ステップＳ９）。
【００４７】
ステップＳ９では、制御部９は、たとえば、図７（Ａ）に示すように、カード２の長手方向の濃度ヒストグラムｈ１を作成し、濃度ヒストグラムｈ１に基づいて磁気ストライプ２ｂの境界の有無を判定する。また、ステップＳ９では、制御部９は、磁気ストライプ２ｂの境界があると判定される場合には、カード２が隠蔽カードでない通常の磁気カードであると判定し、磁気ストライプ２ｂの境界がないと判定される場合には、カード２が隠蔽カードであると判定する。
【００４８】
ステップＳ９で、カード２が隠蔽カードでないと判定されると、制御部９は、ステップＳ３で取得された画像から、ＪＩＳ規格で規定される左右方向の磁気データの記録位置に対応する部分の画像（すなわち、磁気データの最小記録範囲Ｒ１の画像）を切り出すとともに、切り出した画像に基づいて、磁気ストライプ２ｂの損傷の有無および磁気ストライプ２ｂへの異物付着の有無を判定する（画像異常判定ステップ、ステップＳ１０）。すなわち、制御部９は、切り出した画像に異常があるのか否かを判定することで、磁気ストライプ２ｂの損傷の有無および磁気ストライプ２ｂへの異物付着の有無を判定する。
【００４９】
ステップＳ１０では、制御部９は、たとえば、図７（Ｂ）に示すように、切り出した磁気データの最小記録範囲Ｒ１の画像の、カード２の短手方向の濃度ヒストグラムｈ２を作成し、濃度ヒストグラムｈ２に基づいて磁気ストライプ２ｂの損傷の有無および磁気ストライプ２ｂへの異物付着の有無を判定する。具体的には、カード２のおもて面２ａの、磁気ストライプ２ｂが形成された箇所にシール等の異物Ｍが付着している場合や、傷Ｃが入っている場合には、濃度ヒストグラムｈ２の所定箇所の値が高くなるため、制御部９は、濃度ヒストグラムｈ２の値と所定の閾値とを比較して、磁気ストライプ２ｂの損傷の有無および磁気ストライプ２ｂへの異物付着の有無を判定する。
【００５０】
ステップＳ１０で、磁気ストライプ２ｂに損傷がなくかつ磁気ストライプ２ｂへの異物付着がないと判定されると（すなわち、切り出した画像に異常がないと判定されると）、制御部９は、カードリーダ１に取り込まれているカード２の磁気ストライプ２ｂに磁気ヘッド７で磁気データを記録する（磁気データ記録ステップ、ステップＳ１１）。すなわち、磁気ストライプ２ｂに損傷がなくかつ磁気ストライプ２ｂへの異物付着がない場合には、磁気ストライプ２ｂに磁気データを適切に記録することができると判断されるため、制御部９は、駆動ローラ５を回転させてカード２を搬送しながら、磁気ヘッド７で磁気ストライプ２ｂに磁気データを記録する。ステップＳ１１で、磁気ストライプ２ｂに磁気データが記録されると、ステップＳ７に進んで、制御部９は、カードリーダ１からカード２を排出する。
【００５１】
一方、ステップＳ１０で、磁気ストライプ２ｂに損傷があると判定されたり、磁気ストライプ２ｂへの異物付着があると判定されたりする場合（すなわち、切り出した画像に異常があると判定される場合）には、磁気ストライプ２ｂに磁気データを適切に記録することができないと判断されるため、ステップＳ７に進んで、制御部９は、磁気ストライプ２ｂに磁気データを記録することなく、カードリーダ１からカード２を排出する。
【００５２】
また、ステップＳ９で、カード２が隠蔽カードであると判定されると、制御部９は、ステップＳ３で取得された画像から、ＪＩＳ規格で規定される左右方向の磁気データの記録位置に対応する部分の画像（すなわち、磁気データの最小記録範囲Ｒ１の画像）を切り出すとともに、切り出した画像に基づいて、磁気ストライプ２ｂの損傷の有無および磁気ストライプ２ｂへの異物付着の有無を判定する（画像異常判定ステップ、ステップＳ１２）。ステップＳ１２では、制御部９は、制御部９に記憶されている隠蔽カードの最小記録範囲Ｒ１の画像と切り出した画像とを比較して、切り出した画像に異常があるのか否かを判定することで、磁気ストライプ２ｂの損傷の有無および磁気ストライプ２ｂへの異物付着の有無を判定する。
【００５３】
ステップＳ１２で、磁気ストライプ２ｂに損傷がなくかつ磁気ストライプ２ｂへの異物付着がないと判定されると（すなわち、切り出した画像に異常がないと判定されると）、ステップＳ１１に進んで、制御部９は、カードリーダ１に取り込まれているカード２の磁気ストライプ２ｂに磁気ヘッド７で磁気データを記録し、その後、ステップＳ７に進んで、カードリーダ１からカード２を排出する。一方、ステップＳ１２で、磁気ストライプ２ｂに損傷があると判定されたり、磁気ストライプ２ｂへの異物付着があると判定されたりすると（すなわち、切り出した画像に異常があると判定されると）、ステップＳ７に進んで、制御部９は、磁気ストライプ２ｂに磁気データを記録することなく、カードリーダ１からカード２を排出する。
【００５４】
すなわち、本形態では、ステップＳ８において、磁気ストライプ２ｂへの磁気データの記録が必要であると判定されると、ステップＳ９を経た後、画像異常判定ステップであるステップＳ１０またはステップＳ１２に進む。また、ステップＳ１０またはステップＳ１２において、磁気ストライプ２ｂに損傷がなくかつ磁気ストライプ２ｂへの異物付着がないと判定されると、磁気データ記録ステップであるステップＳ１１に進む。
【００５５】
なお、ステップＳ８において、磁気ストライプ２ｂへの磁気データの記録が必要であると判定された場合、ステップＳ９に進む前に、カード２のおもて面２ａの画像をスキャナ８で再び取得しても良い。この場合には、ステップＳ１０、Ｓ１２において、制御部９は、ステップＳ８の後のステップで取得された画像から、ＪＩＳ規格で規定される左右方向の磁気データの記録位置に対応する部分の画像を切り出すとともに、切り出した画像に基づいて、磁気ストライプ２ｂの損傷の有無および磁気ストライプ２ｂへの異物付着の有無を判定する。また、この場合には、ステップＳ８の後にカード２のおもて面２ａの画像を取得するステップが画像取得ステップとなる。
【００５６】
（本形態の主な効果）
以上説明したように、本形態では、スキャナ８で取得された画像から、ＪＩＳ規格で規定される左右方向の磁気データの記録位置に対応する部分の画像（すなわち、磁気データの最小記録範囲Ｒ１の画像）を切り出すとともに、切り出した画像に基づいて、磁気ストライプ２ｂの損傷の有無および磁気ストライプ２ｂへの異物付着の有無を判定している。そのため、本形態では、カードリーダ１に取り込まれたカード２の磁気ストライプ２ｂに磁気データを再度、記録する前に、磁気ストライプ２ｂの損傷の有無および磁気ストライプ２ｂへの異物付着の有無を判定することが可能になる。
【００５７】
また、本形態では、スキャナ８で取得された画像から、ＪＩＳ規格で規定される左右方向の磁気データの記録位置に対応する部分の画像を切り出すとともに、切り出した画像に基づいて、磁気ストライプ２ｂの損傷の有無および磁気ストライプ２ｂへの異物付着の有無を判定しており、磁気ストライプ２ｂの、実際に磁気データが記録される箇所の損傷の有無、および、実際に磁気データが記録される箇所への異物付着の有無を判定している。そのため、本形態では、仮に、磁気ストライプ２ｂの、磁気データが記録されない箇所に損傷があったり、異物が付着したりしていても、実際に磁気データが記録される箇所に損傷がなく、かつ、実際に磁気データが記録される箇所に異物が付着していないと判定することができる。したがって、本形態では、仮に、磁気ストライプ２ｂの、磁気データが記録されない箇所に損傷があったり、異物が付着したりしていても、カードリーダ１に取り込まれたカード２の磁気ストライプ２ｂに磁気データを再度、記録することが可能になる。
【００５８】
（カードリーダの制御方法の変形例１）
上述した形態において、制御部９は、スキャナ８で取得された画像から、左右方向（カード２の短手方向）においてリードコア１３の配置位置に対応する部分の画像（すなわち、磁気ヘッド７の磁気データの読取り幅Ｈ２に対応する部分の画像）を切り出すとともに、切り出した画像に基づいて、磁気ストライプ２ｂの損傷の有無および磁気ストライプ２ｂへの異物付着の有無を判定しても良い。すなわち、ステップＳ１０、Ｓ１２において、ステップＳ３で取得された画像から、左右方向においてリードコア１３の配置位置に対応する部分の画像を切り出すとともに、切り出した画像に基づいて、磁気ストライプ２ｂの損傷の有無および磁気ストライプ２ｂへの異物付着の有無を判定しても良い。
【００５９】
この場合であっても、上述した形態と同様に、カードリーダ１に取り込まれたカード２の磁気ストライプ２ｂに磁気データを再度、記録する前に、磁気ストライプ２ｂの損傷の有無および磁気ストライプ２ｂへの異物付着の有無を判定することが可能になる。また、この場合には、磁気ストライプ２ｂの、実際に磁気データが読み取られる箇所の損傷の有無、および、実際に磁気データが読み取られる箇所への異物付着の有無を判定しているため、仮に、磁気ストライプ２ｂの、磁気データが読み取られない箇所に損傷があったり、異物が付着したりしていても、実際に磁気データが読み取られる箇所に損傷がなく、かつ、実際に磁気データが読み取られる箇所に異物が付着していないと判定することができる。したがって、仮に、磁気ストライプ２ｂの、磁気データが読み取られない箇所に損傷があったり、異物が付着したりしていても、カードリーダ１に取り込まれたカード２の磁気ストライプ２ｂの、実際に磁気データが読み取られる箇所に磁気データを再度、記録することが可能になる。
【００６０】
（カードリーダの制御方法の変形例２）
図８は、本発明の他の実施の形態にかかるカードリーダ１の制御方法を説明するためのフローチャートである。
【００６１】
上述した形態において、ステップＳ８で磁気ストライプ２ｂへの磁気データの記録が必要であると判定されたときに、制御部９は、ステップＳ２で読み取られた磁気データの中に異常な部分があるのか否かを判定しても良い（磁気データ異常判定ステップ、ステップＳ１５）。ステップＳ１５では、制御部９は、たとえば、磁気ヘッド７から出力される正弦波状の出力信号に基づいて、磁気データの中に異常な部分があるのか否かを判定する。
【００６２】
具体的には、制御部９は、磁気ヘッド７の出力信号（より具体的には、増幅後の磁気ヘッド７の出力信号）の中に、たとえば、図４（Ｂ）に示すように振幅が小さくなっている箇所があると（振幅が所定の閾値よりも低くなっている箇所があると）、磁気データの中に異常な部分があると判定し、磁気ヘッド７の出力信号の中に、振幅が所定の閾値よりも低くなっている箇所がないと、磁気データの中に異常な部分がないと判定する。なお、ステップＳ１５で磁気ヘッド７の出力信号に対して設定される閾値の絶対値は、ステップＳ８で磁気ヘッド７の出力信号に対して設定される閾値の絶対値よりも小さくなっている。
【００６３】
あるいは、制御部９は、ステップＳ１５において、矩形波状の復調用信号に基づいて、磁気データの中に異常な部分があるのか否かを判定する。具体的には、制御部９は、ステップＳ１５において、ステップＳ４で磁気データの読取り結果に異常があると判定されたときの復調用信号のビットインターバルの中に、図５（Ｂ）の矢印で示すような規定値を超える値があったり、図５（Ｃ）の矢印で示すような規定値未満の値があったりすると、磁気データの中に異常な部分があると判定し、ステップＳ４で磁気データの読取り結果に異常があると判定されたときの復調用信号のビットインターバルの中に規定値を超える値や規定値未満の値がないと、磁気データの中に異常な部分がないと判定する。
【００６４】
この場合、ステップＳ１５において、磁気データの中に異常な部分がないと判定されると、ステップＳ１１に進んで、カード２の磁気ストライプ２ｂに磁気データを記録する。一方、ステップＳ１５において、磁気データの中に異常な部分があると判定されると、ステップＳ９に進み、制御部９は、カード２が隠蔽カードであるのか否かを判定する。ステップＳ９で、カード２が隠蔽カードでないと判定されると、ステップＳ１０に進み、ステップＳ９で、カード２が隠蔽カードであると判定されると、ステップＳ１２に進む。
【００６５】
ステップＳ１０では、制御部９は、ＪＩＳ規格で規定される左右方向の磁気データの記録位置に対応する部分の画像（すなわち、磁気データの最小記録範囲Ｒ１の画像）であって、かつ、カード２の長手方向において磁気データの、異常があると判定された部分の画像を切り出すとともに、切り出した画像に基づいて、磁気ストライプ２ｂの損傷の有無および磁気ストライプ２ｂへの異物付着の有無を判定する。たとえば、制御部９は、切り出した画像の、カード２の短手方向の濃度ヒストグラムを作成し、作成した濃度ヒストグラムに基づいて磁気ストライプ２ｂの損傷の有無および磁気ストライプ２ｂへの異物付着の有無を判定する。
【００６６】
また、ステップＳ１２でも、制御部９は、ＪＩＳ規格で規定される左右方向の磁気データの記録位置に対応する部分の画像（すなわち、磁気データの最小記録範囲Ｒ１の画像）であって、かつ、カード２の長手方向において磁気データの、異常があると判定された部分の画像を切り出すとともに、切り出した画像に基づいて、磁気ストライプ２ｂの損傷の有無および磁気ストライプ２ｂへの異物付着の有無を判定する。ステップＳ１２では、制御部９は、制御部９に記憶されている隠蔽カードの画像と切り出した画像とを比較して、磁気ストライプ２ｂの損傷の有無および磁気ストライプ２ｂへの異物付着の有無を判定する。
【００６７】
この変形例では、磁気データの読取り結果に基づいて、磁気ストライプ２ｂの損傷または磁気ストライプ２ｂへの異物の付着が発生している可能性が高いと想定される部分の画像のみを切り出して、磁気ストライプ２ｂの損傷の有無および磁気ストライプ２ｂへの異物付着の有無を判定することが可能になる。したがって、磁気ストライプ２ｂの損傷の有無および磁気ストライプ２ｂへの異物付着の有無の誤判定をなくして、磁気ストライプ２ｂの損傷の有無および磁気ストライプ２ｂへの異物付着の有無を精度良く判定することが可能となる。
【００６８】
また、この変形例では、磁気ストライプ２ｂの損傷または磁気ストライプ２ｂへの異物の付着が発生している可能性が高いと想定される部分の画像のみを切り出して、磁気ストライプ２ｂの損傷の有無および磁気ストライプ２ｂへの異物付着の有無を判定するため、磁気ストライプ２ｂの損傷の有無および磁気ストライプ２ｂへの異物付着の有無の判定処理の速度を速めることが可能になる。
【００６９】
なお、この変形例において、ステップＳ８で、磁気ストライプ２ｂへの磁気データの記録が必要であると判定された場合、ステップＳ１５に進む前に、カード２の磁気ストライプ２ｂに記録された磁気データを磁気ヘッド７で再び読み取っても良い。この場合には、ステップＳ１５において、制御部９は、ステップＳ８の後のステップで読み取られた磁気データの中に異常な部分があるのか否かを判定する。
【００７０】
また、この変形例において、ステップＳ１５で、磁気データの中に異常な部分があると判定された場合、ステップＳ９に進む前に、カード２のおもて面２ａの画像をスキャナ８で再び取得しても良い。この場合には、ステップＳ１０、Ｓ１２において、制御部９は、ステップＳ１５の後のステップで取得された画像から、ＪＩＳ規格で規定される左右方向の磁気データの記録位置に対応する部分の画像であって、かつ、カード２の長手方向において磁気データの、異常があると判定された部分の画像を切り出すとともに、切り出した画像に基づいて、磁気ストライプ２ｂの損傷の有無および磁気ストライプ２ｂへの異物付着の有無を判定する。
【００７１】
（他の実施の形態）
上述した形態は、本発明の好適な形態の一例ではあるが、これに限定されるものではなく本発明の要旨を変更しない範囲において種々変形実施が可能である。
【００７２】
上述した形態において、磁気ストライプ２ｂに加えて、または、磁気ストライプ２ｂに代えて、ＪＩＳＸ６３０２−２、ＪＩＳＸ６３０２−６またはＩＳＯ／ＩＥＣ７８１１で規定される磁気ストライプがカード２の裏面に形成されていても良い。この場合には、カードリーダ１は、カード２の裏面の磁気ストライプに記録された磁気データの読取りとこの磁気ストライプへの磁気データの記録とを行うための磁気ヘッドと、カード２の裏面の画像を取得するためのスキャナとを備えている。
【００７３】
また、この場合には、制御部９は、ステップＳ１０、Ｓ１２において、カード２の裏面の画像を取得するためのスキャナで取得された画像から、ＪＩＳＸ６３０２−２、ＪＩＳＸ６３０２−６またはＩＳＯ／ＩＥＣ７８１１で規定される左右方向（カード２の短手方向）の磁気データの記録位置に対応する部分の画像を切り出すとともに、切り出した画像に基づいて、カード２の裏面の磁気ストライプの損傷の有無および磁気ストライプへの異物付着の有無を判定する。
【００７４】
上述した形態において、制御部９は、ステップＳ９において、濃度ヒストグラムｈ１を用いた画像処理方法以外の画像処理方法によって、カード２が隠蔽カードであるのか否かを判定しても良い。また、上述した形態において、制御部９は、ステップＳ１０において、濃度ヒストグラムｈ２を用いた画像処理方法以外の画像処理方法によって、磁気ストライプ２ｂの損傷の有無および磁気ストライプ２ｂへの異物付着の有無を判定しても良い。
【００７５】
上述した形態において、磁気ストライプ２ｂに記録された磁気データを読み取るための磁気ヘッドと、磁気ストライプ２ｂに磁気データを記録するための磁気ヘッドとが別個に設けられていても良い。また、上述した形態において、スキャナ８の左右方向の幅は、カード２の短手方向の幅より狭くなっていても良い。この場合であっても、スキャナ８の左右方向の幅は、カード２の短手方向における磁気ストライプ２ｂの幅よりも広くなっており、スキャナ８によって、カード２の、磁気ストライプ２ｂが形成された部分の画像を取得することが可能になっている。
【符号の説明】
【００７６】
１  カードリーダ
２  カード
２ａ  おもて面（磁気ストライプが形成されている側の面）
２ｂ  磁気ストライプ
７  磁気ヘッド
８  スキャナ
９  制御部
１３  リードコア
１４  ライトコア
ｈ２  濃度ヒストグラム
Ｓ２  磁気データ読取りステップ
Ｓ３  画像取得ステップ
Ｓ８  データ記録要否判定ステップ
Ｓ１０、Ｓ１２  画像異常判定ステップ
Ｓ１１  磁気データ記録ステップ
Ｓ１５  磁気データ異常判定ステップ
【図１】
2019100730.tif 000003
【図２】
2019100730.tif 000004
【図３】
2019100730.tif 000005
【図４】
2019100730.tif 000006
【図５】
2019100730.tif 000007
【図６】
2019100730.tif 000008
【図７】
2019100730.tif 000009
【図８】
2019100730.tif 000010